(57)【特許請求の範囲】
【請求項１】
ＵＨＦ帯若しくはＵＨＦ帯よりも高い周波数の電波を受信するアンテナにて使用される管状のアンテナ素子であって，
管状の素子本体の自由端部に，当該自由端部の開口端付近の空気の流れを変えて，素子本体の内部に空気の渦が発生し難くする縮径部，を備えたことを特徴とするアンテナ素子。
【請求項２】
ＵＨＦ帯若しくはＵＨＦ帯よりも高い周波数の電波を受信するアンテナであって，請求項１のアンテナ素子を備えたことを特徴とするアンテナ。
【発明の詳細な説明】
【技術分野】
【０００１】
本発明は，主に屋外に設置して使用するテレビ受信用アンテナに好適なアンテナ素子に関するものである。
【背景技術】
【０００２】
従来のテレビ受信用アンテナにおいては，屋外での設置状態において風が吹くと，素子の風切り音や，素子が激しく振動して不快音を発生したり，或いはその振動に伴う素子の変形の繰り返しにより，素子の疲労が大きくなって寿命が短くなったりする問題点を解決するために，素子の自由端部に重り体を備えることで，屋外の設置状態において風が吹いても激しい振動が発生することを防止でき，不快音の発生を防止できると共に，疲労を軽減して張寿命化を図ることができるアンテナ素子が提案されている。（例えば，特許文献１参照）
【０００３】
【特許文献１】特開昭６４−２９００５号公報
【発明の開示】
【発明が解決しようとする課題】
【０００４】
しかし，一般家庭用として市販されている屋外用のテレビ受信アンテナにおいて，上述のような構成をしたアンテナ素子を備えたテレビ受信用アンテナは，実際には販売されていないのが現実である。この理由として，先ず第１に，上述のような構成をしたアンテナ素子を備えたテレビ受信用アンテナでは，アンテナ素子全てに重り体を備えることによって，アンテナのコストが高くなるばかりでなく，アンテナ全体の重量が重くなることによって，アンテナを屋根等の高所に設置する作業の困難性が増し，しかも，このアンテナを設置するための，アンテナマストを太いものにしたり，アンテナ支線の材質を変えたり配線の方法を変えたりして，アンテナ設置のための基礎部分の強度を強くする必要があり，設置工事のコストも高くなるからであり，第２には，強風によるアンテナ素子の振動は，アンテナ素子自体の構造によるものばかりでなく，アンテナの設置条件（例えば，アンテナマストの長さや，アンテナ支線の張り方など）によっても左右され，不快音の発生が個別の状況に応じて変わるので，不快音対策をした汎用性のあるアンテナは，コストパフォーマンスが悪いといった問題があるからと考えられる。さらに加えて，２０１１年の地上波テレビ放送の完全ディジタル化に伴い，テレビ受信用アンテナの主力はＶＨＦテレビアンテナからＵＨＦテレビアンテナとなるので，それに応じてアンテナ素子の寸法もＶＨＦアンテナ用のそれに比べて非常に短くなることから，強風によるアンテナ素子の振動の発生は減って，不快音の発生は減少すると考えられる。
しかしながら，強風によるアンテナ素子の振動による問題がなくても，従来例の実施例にも明記されているように，強風によって発生する風切り音は実際には生ずることがあるので，アンテナの風切り音防止対策が，コストが安く重量が増えない方法でできれば，一般家庭でも容易に使用できる，すこぶる汎用性の高いアンテナが提供できる。
そこで本願においては，こうした問題点を解決するためになされたものであり，
その目的は，屋外用のテレビ受信用アンテナに好適なアンテナ素子を提供することにある。
他の目的は，風が吹いても不快音を緩和することができるアンテナ素子を提供することにある。
他の目的は，コストが安価に且つ重量を重くせずに不快音を緩和することができるアンテナ素子を提供することにある。
他の目的は，上記特徴を有するアンテナ素子を備えたアンテナを提供することにある。
【課題を解決するための手段】
【０００５】
かかる目的を達成するためになされた請求項１に記載の発明は，ＵＨＦ帯若しくはＵＨＦ帯よりも高い周波数の電波を受信するアンテナにて使用される管状のアンテナ素子であって，
管状の素子本体の自由端部に，当該自由端部の開口端付近の空気の流れを変えて，素子本体の内部に空気の渦が発生し難くする縮径部，を備えたことを特徴とする。
【０００６】
また，請求項２に記載の発明は，ＵＨＦ帯若しくはＵＨＦ帯よりも高い周波数の電波を受信するアンテナであって，請求項１のアンテナ素子を備えたことを特徴とする。
【発明の効果】
【０００７】
請求項１に記載のアンテナ素子によれば，管状の素子本体の自由端部に縮径部が備えられているので，この縮径部により，自由端部にある開口端付近の空気の流れを変えて，アンテナ素子の内部空間に空気の渦が発生し難くすることができる。
このため，本発明のアンテナ素子によれば，従来のアンテナ素子に比べ，素子本体の自由端部の開口端付近で生じる空気の振動，延いては，この空気の振動による不快音の発生を，阻止或いは緩和することができる。
つまり，縮径部の加工寸法及び形状を，耐風速性能の上限値において不快音の発生が無いか小さくなるように適宜に最適化して形成することで，耐風速の上限値が同じであれば，従来のアンテナ素子を備えた場合に比べ，本発明のアンテナ素子を備えた場合のほうが不快音の発生は阻止できるか緩和することができる。
換言すれば，本発明のアンテナ素子を備えた場合のほうが，従来のアンテナ素子を用いた場合に比べてアンテナの持つ耐風速性能の規格を更に上げることができるので，従来のアンテナ素子を備えたアンテナに比べて簡単且つ安価に，風による不快音の発生の無い高性能なアンテナを提供することができる。
【０００８】
請求項２に記載の発明によれば，請求項１のアンテナ素子を用いて，ＵＨＦ帯若しくはＵＨＦ帯よりも高い周波数の電波を受信するアンテナを構成したので，テレビアンテナに一般的に用いられている八木・宇田式アンテナを簡単且つ安価に高性能化できる。
また特に，ＵＨＦテレビアンテナとして構成すれば，２０１１年に完全移行されるＵＨＦ帯の電波を用いた地上波の完全ディジタル化に向けて，受信システムのディジタル対応化の工事や，新設の受信システムの構築に，すこぶる好適なアンテナを提供できる。
【発明を実施するための最良の形態】
【０００９】
以下に，本発明を具体化した実施形態の例を，図面を基に詳細に説明する。
図１は本発明に係るアンテナ素子の使用状態を示す斜視図であリ，図２（ａ）から（ｃ）はアンテナ素子の自由端部に形成された縮径部の実施例を示す部分断面図である。尚，以下の説明において方向を示す場合は，特に明示しない限り，電波到来方向を前方と規定し，これを基準とする。
【実施例１】
【００１０】
図１は本発明に係るアンテナ素子の使用状態を示す斜視図である。本発明に係る実施形態におけるアンテナ素子は，図１の１３で示される導波器と，１４で示される反射器に用いられており，これらの導波器１３及び反射器１４と放射器１０とでアンテナ１を構成している。
【００１１】
同図において，６はアンテナ支持杆であり，このアンテナ支持杆６に，図１で示されるように給電部１２に装着された放射素子１１からなる前記放射器１０の給電部１２部分が取り付けられ，この放射器１０の前方には，複数本例えば５本のアンテナ素子１３ａが，各素子の略中央部を取付部材８でもって支持するように取り付けられてなる導波器１３を備え，また，放射器１０の後方には，３本のアンテナ素子１４ａを垂直方向にスタック配列するよう，上下に所定の間隔を保って，各素子の略中央部を支持部材９で支持するように取り付けられてなる反射器１４を備えることで本発明に係る実施例のアンテナ１が構成されている。
そして，このように構成されたアンテナ１のアンテナ支持杆６はアンテナマスト３の上端部に取付金具５により水平に取り付けられる。
同図において，２は屋根馬であり，前記アンテナマスト３をこの屋根馬２で支持することで，アンテナ１は建物の屋根や屋上に設置される。さらに，ルーフベース（屋根馬）２やアンテナマスト３は，図には示されていないアンテナ支線等を用いることによって，建物等にしっかりと取り付けられる。
【００１２】
この導波器１３と反射器１４を構成するアンテナ素子１３ａ及び１４ａは，導電性の良好な材料，一般的には，外形寸法が１２〜１６ｍｍ，肉厚が０．５〜１．０ｍｍ程度のアルミニウムあるいはステンレスで形成された筒体である。このアンテナ素子１３ａ，１４ａの長さは，それぞれテレビの受信帯域に応じて最適化された寸法になるように形成すればよく，本発明に係る実施形態のアンテナのようにＵＨＦテレビアンテナであれば，その長さは２００〜５００ｍｍ程度である。
【００１３】
次に，アンテナ素子の自由端部の構造について図２を用いて詳しく説明する。図２はアンテナ素子１３或いは１４の自由端部を拡大した断面図である。この図において２３が自由端部である。
図２（ａ）の実施例における自由端部２３は，アンテナ素子の開口端２３ａの周縁を内方向かって縮径した縮径部２３ｂを備えてなる。この縮径部２３ｂは，カール加工などの処理によって，アンテナ素子１３或いは１４の内径より小さくなるように形成されている。この実施例では，アンテナ素子１３或いは１４の自由端部２３の開口端２３ａに適宜の大きさの縮径部２３ｂを備えることにより，開口端２３ａが風を切ることで発生する風切り音を防止若しくは緩和させようとするものである。
【００１４】
即ち，従来のアンテナ素子のように，パイプを所定寸法に切り落とした状態で，アンテナ素子の内径が中間部も自由端部も同じ寸法で連通するように形成されている例の場合，アンテナ素子の開口端の近傍を所定の強さの風が吹いたときに，このアンテナ素子の開口端からアンテナ素子内部に空気が流れ込み，それによって，アンテナ素子内部に空気の渦が生じ，その空気の振動によって不快音が発生するのであるが，本発明の実施例のアンテナ素子１３或いは１４においては，アンテナ素子１３或いは１４の自由端部２３の開口端２３ａに縮径部２３ｂを備えることによって，開口端２３ａ付近の空気の流れを変え，これによって，風速が同じ条件において従来のアンテナ素子に比べ，アンテナ素子１３或いは１４の内部に空気の渦が発生するのをし難くし，不快音の発生を阻止或いは緩和するように構成されているのである。
【００１５】
縮径部２３ｂの加工寸法及び形状は，例えば従来のアンテナが持つ耐風速性能の上限値において不快音の発生が無いか小さくなるように適宜に最適化して形成すれば良い。このことは即ち，不快音の発生と耐風速の関係において，同じ風速であれば，従来のアンテナ素子に比べて本発明のアンテナ素子１３或いは１４のほうが不快音の発生が無いか小さくなるのであり，換言すれば，本発明のアンテナ素子１３或いは１４を備えれば，実際に不快音が発生する風速までアンテナの持つ耐風速性能の上限の規格を高くすることができるので，従来のアンテナ素子を備えたアンテナに比べて高性能なアンテナを提供することができる。更に，従来例のように，自由端部に重り体を装着して開口端を閉塞する方法に比べて，風切り音対策が簡単且つ安価に実現可能になるのである。
【００１６】
そして，このように形成されたアンテナ素子を用いて例えば八木・宇田式アンテナを構成すれば，簡単且つ安価に高性能なアンテナを提供できるのである。しかも，特にＵＨＦテレビアンテナに応用すれば，２０１１年に完全移行される地上波の完全ディジタル化に向けた，受信システムのディジタル対応のための変更工事に，或いは，新築の家屋やマンション等の受信システムの構築に，すこぶる好適なアンテナを提供できるのである。
【００１７】
尚，本発明は上記実施の形態に限定されるものではなく，以下に例示するように，本発明の趣旨を逸脱しない範囲で各部の構成を適宜に変更して実施することも可能である。
図２（ｂ）及び（Ｃ）には自由端部２３の異なる実施例を示す。図２（ｂ）の実施例では，開口端２３ａより僅かに内側に，絞り加工等の処理によって縮径部２３ｂを備えた例である。この実施例では，開口端２３ａと縮径部２３ｂとの間に僅かな空間を形成することで，空気の渦が発生するのをし難くしたものである。図２（ｃ）は（ｂ）の変形した実施例である。これらの例は実施例であり，空気の渦が発生するのをし難くするものであれば実施例の形状に限定されるものではない。
また，アンテナ１の具体例として，今後のテレビアンテナの主流となる地上ディジタル放送受信用のＵＨＦテレビ用アンテナの例を示したが，特にこの例に限定されるものではなく，アンテナ素子の長さがＵＨＦテレビ用アンテナより更に長い，ＶＨＦテレビ用アンテナ，ＦＭ用アンテナ，あるいはアマチュア無線用アンテナ等に利用しても良いし，ＵＨＦ帯の電波より高い周波数用のアンテナであって，筒状のアンテナ素子を用いたアンテナに利用しても良いことは言うまでも無い。
【図面の簡単な説明】
【００１８】
【図１】本発明に係るアンテナ素子の使用状態を示す斜視図である。
【図２】（ａ）から（ｃ）はアンテナ素子の自由端部に形成された縮径部の実施例を示す部分断面図である。
【符号の説明】
【００１９】
１…アンテナ，２…ルーフベース（屋根馬），３…アンテナマスト，５…取付金具，６…アンテナ支持杆，８…取付部材，９…支持部材，１０…放射器，１１…放射素子，１２…給電部，１３…導波器，１３ａ…アンテナ素子，１４…反射器，１４ａ…アンテナ素子，２３…自由端部，２３ａ…開口端，２３ｂ…縮径部。
【図１】
0004960163.tif 000002
【図２】
0004960163.tif 000003